(57)【要約】【課題】  複数の電話端末を使用するために同一回線に接続された複数のフィルタ素子による通信障害を防止するＡＤＳＬ通信用障害防止回路を提供することにある。【解決手段】  ＡＤＳＬ通信信号を分離又は停止させて電話端末に出力するフィルタ素子Ｆ１，Ｆ２と電話回線Ｌ１，Ｌ２との間にブリッジ整流器ＤＢ１，ＤＢ２が設けられている。ブリッジ整流器ＤＢ１，ＤＢ２は、制御回路２２，２４によりその出力の閉結・開放が制御される。制御回路２２，２４は、無負荷回線電圧に応答してブリッジ整流器ＤＢ１，ＤＢ２の出力を閉結させ、電話回線Ｌ１，Ｌ２とフィルタ素子Ｆ１，Ｆ２を接続する。複数設けられた電話端末の一つが使用状態になると、回線電圧Ｌ１，Ｌ２の変化により、非使用中の他の電話端末側に設けられた制御回路が他の電話端末側のブリッジ整流器を開放状態にして、通信障害の発生を防いでいる。【選択図】  図１
2005269582.tif 000002
【特許請求の範囲】
【請求項１】
同一アナログ電話回線に複数のアナログ電話端末を接続するＡＤＳＬ通信において、
前記アナログ電話回線と前記アナログ電話端末との間にそれぞれ接続され、ＡＤＳＬ通信信号を分離又は阻止する複数のフィルタ素子と、
該フィルタ素子の入力側の一端と前記アナログ電話回線との間にそれぞれ直列接続される複数のブリッジ整流器と、
該ブリッジ整流器にそれぞれ接続され、前記アナログ電話端末を使用していないときの前記アナログ電話回線の無負荷回線電圧に応答して前記ブリッジ整流器の出力を開閉する複数の制御回路と、
を備えることを特徴とするＡＤＳＬ通信用障害防止回路。
【請求項２】
前記制御回路は、前記ブリッジ整流器の出力の開閉を行うサイリスタと、前記無負荷回線電圧で前記サイリスタをトリガーするツェナーダイオードと、からなることを特徴とする請求項１記載のＡＤＳＬ通信用障害防止回路。
【発明の詳細な説明】
【技術分野】
【０００１】  本発明は、アナログ電話回線を利用したＡＤＳＬ通信において、スプリッタ又はＡＤＳＬフィルタに用いられているフィルタ素子を同一回線内で複数使用したときに発生する障害を防止する障害防止回路に関するものである。
【背景技術】
【０００２】  一般に、一回線分のアナログ電話回線を利用したＡＤＳＬ通信には、アナログ電話端末とＡＤＳＬ通信用のモデムを電話回線に接続するＡＤＳＬ用のスプリッタが使用されている。図２は従来のスプリッタ２を示す回路図である。このスプリッタ２は、電話回線Ｌ１，Ｌ２からＡＤＳＬ信号を取り出してモデム４に出力する直流カット用のコンデンサＣ１，Ｃ２と、音声帯域信号のみを通過させるローパスフィルタからなるフィルタ素子Ｆ１を備えている。コンデンサＣ１，Ｃ２を通過するＡＤＳＬ信号は、ＡＤＳＬ用のモデム４との間で入出力され、フィルタ素子Ｆ１を通過する音声帯域信号は、アナログ電話端末６に出力される。このようなスプリッタ２を使用することで、同一の電話回線を使って通話とＡＤＳＬ通信を共に行うことができるようにしていた。【０００３】  更に、同一回線内で複数の電話端末を使用することが求められ、図２に示すように、電話回線Ｌ１，Ｌ２に更にフィルタ素子Ｆ２からなるＡＤＳＬ用のフィルタを設け、このフィルタ素子Ｆ２を介して他のアナログ電話端末８を接続することを可能にしたものが併設されることがあった。【０００４】  しかしながら、同一回線にフィルタ素子Ｆ１，Ｆ２を併設すると、使用中のフィルタ素子に非使用中のフィルタ素子が等価的に加算されてしまい、図３に示すように、不特定メーカーの組み合わせにより電話音声帯域である１．３ｋＨｚから２．１ｋＨｚ位の間に深いディップが生じることがあった。このようなディップが電話音声帯域に発生すると、ＦＡＸ、ナンバーディスプレイ、Ｌモード、プッシュホーンのＤＴＭＦ等の信号が読み取れなくなるという通信障害が生じることになっていた。【０００５】  上記のような通信障害を防ぐため、図４に示すように、フィルタ素子Ｆと電話回線Ｌ１，Ｌ２との間にシリコンダイオードを互いに逆方向に組み合わせた回路１０をそれぞれ接続し、シリコンダイオードの立ち上がり電圧（約０．７５ボルト）を利用して、電話端末の開放側（非使用側）のフィルタ素子の影響が閉結側（使用側）の電話端末に現われないように対処していた。しかし、この回路１０では、電話音声帯域内の設定した一定部分のみでしか通信障害に対処することができないという問題があった。
この回路１０における音声帯域内の障害防止できる信号レベルは、回線内の最大の信号レベルとして法に規定されている−２．５ｄＢｍを越えないように、波高値で１．７Ｖ必要となり、数段のシリコンダイオードを重ねることが必要になるという問題もあった。
【発明の開示】
【発明が解決しようとする課題】
【０００６】  本発明が解決しようとする課題は、複数の電話端末を使用するために同一回線に接続された複数のフィルタ素子による通信障害を、電話音声帯域の一部レベルの信号に限定することなく大きなレベル、即ちトリガー用ツェナー電圧までの障害を充分に防止するＡＤＳＬ通信用障害防止回路を提供することにある。
【課題を解決するための手段】
【０００７】  本発明のＡＤＳＬ通信用障害防止回路は、同一アナログ電話回線に複数のアナログ電話端末を接続するＡＤＳＬ通信において、前記アナログ電話回線と前記アナログ電話端末との間にそれぞれ接続され、ＡＤＳＬ通信信号を分離又は阻止する複数のフィルタ素子と、該フィルタ素子の入力側の一端と前記アナログ電話回線との間にそれぞれ直列接続される複数のブリッジ整流器と、該ブリッジ整流器にそれぞれ接続され、前記アナログ電話端末を使用していないときの前記アナログ電話回線の無負荷回線電圧に応答して前記ブリッジ整流器の出力を開閉する複数の制御回路と、を備えている。また、この障害防止回路における前記制御回路は、前記ブリッジ整流器の出力の開閉を行うサイリスタと、前記無負荷回線電圧で前記サイリスタをトリガーするツェナーダイオードと、からなる。
【発明の効果】
【０００８】  本発明によれば、電話回線とフィルタ素子との間に設けたブリッジ整流器を、電話端末の非使用時における電話回線電圧（無負荷回線電圧）に応答する制御回路で閉結又は開放しているので、同一電話回線に複数接続した電話端末の一つが閉結（使用）状態になると、電話回線電圧の変化によって他の電話端末側のブリッジ整流器の出力が開放状態になり、該他の電話端末側のフィルタ素子を電話回線から切り離す。これにより、そのフィルタ素子が使用中のフィルタ素子に加算されることがなくなる。この結果、電話回線には使用中の電話端末に関するフィルタ素子の特性のみが接続されることになり、電話音声帯域にディップが発生する等の通信障害を防ぐことができる。特に、使用していない電話端末に関するフィルタ素子を電話回線から切り離しているので、従来のように電話音声帯域の一部のみ障害を防止するのではなく、電話音声帯域全域にわたって通信障害を防ぐことができる。また、複数の電話端末の中の一つが使用されると、他の電話端末は全て使用できない状態になるので、割り込み防止機能も併せ持ち、先取り優先接続による秘話回路としての機能も持っている。
【発明を実施するための最良の形態】
【０００９】  本発明のＡＤＳＬ通信用障害防止回路は、同一アナログ電話回線に複数のアナログ電話端末を接続するＡＤＳＬ通信に使用される。このＡＤＳＬ通信用障害防止回路において、ＡＤＳＬ通信信号を分離又は停止させて電話端末に出力するフィルタ素子と電話回線との間にはブリッジ整流器が設けられている。このブリッジ整流器は、サイリスタ及びツェナーダイオードからなる制御回路によりその出力の閉結・開放が制御される。この制御回路は、ブリッジ整流器に接続され、電話回線端末非使用時における電話回線電圧（無負荷回線電圧）に応答してブリッジ整流器の出力を閉結させ、電話回線とフィルタ素子を接続する。この状態で複数設けられた電話端末の一つが閉結されて使用状態になると、このときの回線電圧の変化により、非使用中の他の電話端末側に設けられた制御回路が他の電話端末側のブリッジ整流器を開放状態にする。これにより、他の電話端末側のフィルタ素子は電話回線から切り離されて、使用中の電話端末側に等価的に加算されることがなくなって通信障害の発生を防いでいる。
【実施例】
【００１０】  図１は本発明の実施例に係るＡＤＳＬ通信用障害防止回路を示す回路図である。本実施例においては、ＡＤＳＬ通信用のモデム１４と電話機、ＦＡＸ等のアナログ電話端末１６を電話回線Ｌ１，Ｌ２に接続するためのＡＤＳＬ用のスプリッタ１２と、電話機、ＦＡＸ等のアナログ電話端末１８を電話回線Ｌ１，Ｌ２に接続するためのＡＤＳＬ用のフィルタ２０を配設している。【００１１】  スプリッタ１２には、電話回線Ｌ１，Ｌ２とモデム１４との間にそれぞれ接続され且つＡＤＳＬ通信用の周波数信号をモデム１４との間で入出力するコンデンサＣ１，Ｃ２と、電話回線Ｌ１，Ｌ２とアナログ電話端末１６との間に接続されＡＤＳＬ通信用の周波数信号を分離又は阻止するフィルタ阻止Ｆ１が設けられている。【００１２】  また、電話回線Ｌ１とフィルタ素子Ｆ１の一方の入力との間には、ダイオードブリッジからなるブリッジ整流器ＤＢ１が接続されている。また、このブリッジ整流器ＤＢ１の出力の閉結と開放を制御する制御側入出力端には、制御回路２２が接続されている。この制御回路２２は、ブリッジ整流器ＤＢ１の制御側入出力端間に接続されたサイリスタＳＲ１と、このサイリスタＳＲ１に並列に接続され且つ互いに直列をなすツェナーダイオードＺＤ１と抵抗Ｒ１，Ｒ２とから構成されている。サイリスタＳＲ１のトリガー入力は、抵抗Ｒ１，Ｒ２の間に接続されており、ツェナーダイオードＺＤ１によって検出される電話回線Ｌ１，Ｌ２の無負荷回線電圧（アナログ電話端末１６，１８が何れも使用されていないときの回線電圧）によってトリガーされるものとなっている。【００１３】  フィルタ２０には、電話回線Ｌ１，Ｌ２とアナログ電話端末１８との間に接続されＡＤＳＬ通信用の周波数信号を分離又は阻止するフィルタ素子Ｆ２が設けられている。【００１４】  また、スプリッタ１２と同様に、電話回線Ｌ１とフィルタ素子Ｆ２の一方の入力との間には、ダイオードブリッジからなるブリッジ整流器ＤＢ２が接続されている。また、このブリッジ整流器ＤＢ２の出力の閉結と開放を制御する制御側入出力端にも、制御回路２４が接続されている。この制御回路２４も、制御回路２２と同様に、ブリッジ整流器ＤＢ２の制御側入出力端間に接続されたサイリスタＳＲ２と、このサイリスタＳＲ２に並列に接続され且つ互いに直列をなすツェナーダイオードＺＤ２と抵抗Ｒ３，Ｒ４とから構成されている。このサイリスタＳＲ２のトリガー入力も、抵抗Ｒ３，Ｒ４の間に接続されており、ツェナーダイオードＺＤ２によって検出される電話回線Ｌ１，Ｌ２の無負荷回線電圧によってトリガーされるものとなっている。【００１５】  次に、本実施例の障害防止回路の動作を説明する。はじめに、アナログ電話端末１６，１８が共に非使用状態にあると、電話回線Ｌ１，Ｌ２の回線電圧は無負荷回線電圧となっており、この時点で制御回路２２，２４は作動せず、アナログ電話端末１６，１８のどちらか一方がオフフックされて閉結状態になるまでこの状態を維持する。【００１６】  この状態のときに、アナログ電話端末１８が使用されて閉結すると、電話回線Ｌ１，Ｌ２にアナログ電話端末１８が接続されて負荷状態になる。このときに、制御回路２４のサイリスタＳＲ２はトリガー���れる。一方、電話回線Ｌ１，Ｌ２の回線電圧が変化し、この変化をブリッジ整流器ＤＢ１の制御側入出力端の電圧として入力するツェナーダイオードＺＤ１は、その入力電圧がサイリスタＳＲ１をトリガーする電圧に達しないためトリガーせず、ブリッジ整流器ＤＢ１の出力は開放状態となっている。この結果、フィルタ素子Ｆ１とアナログ電話端末１６は電話回線Ｌ１から切り離され、使用できない状態になる。【００１７】  このように、アナログ電話端末１８の使用中においては、フィルタ素子Ｆ１が電話回線Ｌ１から切り離されるため、使用中のフィルタ素子Ｆ２にフィルタ素子Ｆ１が加算されることがなく、電話音声帯域にディップが発生する等の通信障害が発生することはなくなる。【００１８】  尚、アナログ電話端末１８が閉結したときに、ブリッジ整流器ＤＢ１はその制御側入出力端が開放状態となり、アナログ電話端末１６がオフフック状態になっても制御回路２２はアナログ端末１８が開放状態になるまでこの状態を維持することになる。【００１９】  その後、アナログ電話端末１８の使用が終わって開放状態になると、電話回線Ｌ１，Ｌ２の回線電圧は再び無負荷回線電圧にもどる。この変化をどちらか早い方の電話端末の閉結により検出したツェナーダイオードＺＤ１又はＺＤ２は、サイリスタＳＲ１又はＳＲ２をトリガーできる準備状態となり、ブリッジ整流器ＤＢ１又はＤＢ２の出力は開放状態になって初期状態にもどる。【００２０】  上記のように、アナログ電話端末１８を使用するとフィルタ素子Ｆ１が電話回線Ｌ１から切り離されてアナログ電話端末１６の使用ができなくなり、また、同様にアナログ電話端末１６を使用するとフィルタ素子Ｆ２が電話回線Ｌ１から切り離されてアナログ電話端末１８の使用ができなくなる。これにより、電話回線Ｌ１，Ｌ２に接続されるＡＤＳＬ通信用のフィルタ素子は、使用中のもののみに限られ、通信障害を防ぐことができる。また、このときに使用できるアナログ電話端末も先取り優先接続されたものに限られるので、他のアナログ電話端末が割り込むことを防ぐ割り込み防止効果及び他のアナログ電話端末に通話等が漏れることを防ぐ秘話効果も奏することになる。【００２１】  尚、実施例においては２台のアナログ電話端末１６，１８を併設することを説明したが、フィルタ２０と同一構成の回路を増設することにより、さらに多くのアナログ電話端末を併設することが可能である。
【産業上の利用可能性】
【００２２】  本発明のＡＤＳＬ通信用障害防止回路は、実施例で示したように、ＡＤＳＬ通信用のスプリッタとＡＤＳＬ通信用のフィルタにそれぞれ組み込んで同一回線の複数箇所に接続して使用することが可能であり、また、アナログ電話端末の接続口を複数設けたＡＤＳＬ通信用スプリッタとして組み込むことも可能である。
【図面の簡単な説明】
【００２３】
【図１】  本発明のＡＤＳＬ通信用障害防止回路を示す回路図である。
【図２】  従来のＡＤＳＬ用スプリッタ及びフィルタを示す回路図である。
【図３】  図２に示す回路において発生する電話音声帯域内のディップを示す波形図である。
【図４】  図２に示す回路の通信障害を防止する従来の通信障害防止回路を示す回路図である。
【符号の説明】
【００２４】２，１２        スプリッタ
４，１４        モデム
６，１６        アナログ電話端末
８，１８        アナログ電話端末
１０            回路
２０            フィルタ
２２，２４      制御回路
Ｌ１，Ｌ２      電話回線
Ｆ１，Ｆ２      フィルタ素子
Ｃ１，Ｃ２      コンデンサ
ＺＤ１，ＺＤ２  ツェナーダイオード
Ｒ１〜Ｒ４      抵抗
ＳＲ１，ＳＲ２  サイリスタ
【図１】
2005269582.tif 000003
【図２】
2005269582.tif 000004
【図３】
2005269582.tif 000005
【図４】
2005269582.tif 000006